(57)【特許請求の範囲】
【請求項１】
複数の視力の評価値と対応付けられた複数の視標について行われた被検者の視力の検査結果を示す情報であって、小数視力である視力の評価値と、当該視力の評価値と対応付けられた複数の視標を被験者が読取った場合の答えが正しかった比率である正答率とを有する複数の検査結果情報が格納される検査結果情報格納部と、
前記複数の検査結果情報に含まれる視力の評価値と正答率との関係を示す曲線である知覚確率曲線の係数を取得する係数取得部と、
前記知覚確率曲線の係数を用いて、被検者の視力の評価値を取得する評価値取得部と、
前記評価値取得部が取得した被検者の視力の評価値を出力する出力部とを備え、
前記係数取得部は、最小二乗法を用いて、
【数１】
0006021404.tif 000007
（ただし、ｙは正答率、ｘは視力の評価値、ｘ50およびｎは係数）
で表される曲線関数を前記複数の検査結果情報に含まれる視力の評価値と正答率とに適合させるための当該曲線関数の係数を、前記知覚確率曲線の係数として取得する視力評価装置。
【請求項２】
前記係数取得部は、前記曲線関数の係数ｘ50の値を取得し、
前記評価値取得部は、当該係数ｘ50の値に対応する視力の評価値を取得する請求項１記載の視力評価装置。
【請求項３】
前記係数取得部は、更に、前記曲線関数の係数ｎの値を取得し、
前記出力部は、当該係数ｎの値を出力する請求項１記載の視力評価装置。
【請求項４】
複数の視力の評価値と対応付けられた複数の視標について行われた被検者の視力の検査結果を示す情報であって、小数視力である視力の評価値と、当該視力の評価値と対応付けられた複数の視標を被験者が読取った場合の答えが正しかった比率である正答率とを有する複数の検査結果情報が格納される検査結果情報格納部と、
【数２】
0006021404.tif 000008
（ただし、ｙは正答率、ｘは視力の評価値、ｘ50およびｎは係数）
で表される曲線関数を前記複数の検査結果情報に含まれる視力の評価値と正答率との関係を示す曲線である知覚確率曲線の曲線関数とするための当該曲線関数の係数ｎの値を最小二乗法を用いて取得する係数取得部と、
前記係数ｎの値を出力する出力部とを備えた視力評価装置。
【請求項５】
視力の評価値と、当該視力の評価値に対応する視標の識別情報である視標識別情報と、当該視標に対する被検者の解答とを有する解答情報が複数格納される解答情報格納部と、
前記視標識別情報と、当該視標識別情報が示す視標についての正しい答えを示す情報である正答情報とを有する正答管理情報が複数格納される正答管理情報格納部と、
前記各解答情報に含まれる視標識別情報に対応する正答情報を前記正答管理情報から取得し、前記各解答情報について取得した正答情報と、当該各解答情報に含まれる解答とを比較して、前記各解答情報が示す解答が正答であるか否かの判断結果を取得し、同一の視力の評価値と対応付けられて前記解答情報格納部に格納されている複数の解答情報の数と、当該複数の解答情報について取得された前記判断結果とを用いて、視力の評価値毎の正答率を算出し、当該視力の評価値と正答率とを有する前記複数の検査結果情報を前記検査結果情報格納部に蓄積する検査結果情報取得部と、を更に備えた請求項１から請求項４いずれか記載の視力評価装置。
【請求項６】
複数の視力の評価値と対応付けられた複数の視標について行われた被検者の視力の検査結果を示す情報であって、小数視力である視力の評価値と、当該視力の評価値と対応付けられた複数の視標を被験者が読取った場合の答えが正しかった比率である正答率とを有する複数の検査結果情報が格納される検査結果情報格納部と、係数取得部と、評価値取得部と、出力部とを用いて実行される視力評価方法であって、
前記係数取得部が、前記複数の検査結果情報に含まれる視力の評価値と正答率との関係を示す曲線である知覚確率曲線の係数を取得する係数取得ステップと、
前記評価値取得部が、前記知覚確率曲線の係数を用いて、被検者の視力の評価値を取得する評価値取得ステップと、
前記出力部が、前記評価値取得ステップで取得した被検者の視力の評価値を出力する出力ステップとを備え、
前記係数取得ステップは、最小二乗法を用いて、
【数３】
0006021404.tif 000009
（ただし、ｙは正答率、ｘは視力の評価値、ｘ50およびｎは係数）
で表される曲線関数を前記複数の検査結果情報に含まれる視力の評価値と正答率とに適合させるための当該曲線関数の係数を、前記知覚確率曲線の係数として取得する視力評価方法。
【請求項７】
複数の視力の評価値と対応付けられた複数の視標について行われた被検者の視力の検査結果を示す情報であって、小数視力である視力の評価値と、当該視力の評価値と対応付けられた複数の視標を被験者が読取った場合の答えが正しかった比率である正答率とを有する複数の検査結果情報が格納される検査結果情報格納部と、係数取得部と、出力部とを用いて行われる視力評価方法であって、
前記係数取得部が、
【数４】
0006021404.tif 000010
（ただし、ｙは正答率、ｘは視力の評価値、ｘ50およびｎは係数）
で表される曲線関数を前記複数の検査結果情報に含まれる視力の評価値と正答率との関係を示す曲線である知覚確率曲線の曲線関数とするための当該曲線関数の係数ｎの値を最小二乗法を用いて取得する係数取得ステップと、
前記出力部が、前記係数ｎの値を出力する出力ステップとを備えた視力評価方法。
【請求項８】
複数の視力の評価値と対応付けられた複数の視標について行われた被検者の視力の検査結果を示す情報であって、小数視力である視力の評価値と、当該視力の評価値と対応付けられた複数の視標を被験者が読取った場合の答えが正しかった比率である正答率とを有する複数の検査結果情報が格納される検査結果情報格納部にアクセス可能なコンピュータを、
前記複数の検査結果情報に含まれる視力の評価値と正答率との関係を示す曲線である知覚確率曲線の係数を取得する係数取得部と、
前記知覚確率曲線の係数を用いて、被検者の視力の評価値を取得する評価値取得部と、
前記評価値取得部が取得した被検者の視力の評価値を出力する出力部として機能させ、
前記係数取得部は、最小二乗法を用いて、
【数５】
0006021404.tif 000011
（ただし、ｙは正答率、ｘは視力の評価値、ｘ50およびｎは係数）
で表される曲線関数を前記複数の検査結果情報に含まれる視力の評価値と正答率とに適合させるための当該曲線関数の係数を、前記知覚確率曲線の係数として取得するプログラム。
【請求項９】
複数の視力の評価値と対応付けられた複数の視標について行われた被検者の視力の検査結果を示す情報であって、小数視力である視力の評価値と、当該視力の評価値と対応付けられた複数の視標を被験者が読取った場合の答えが正しかった比率である正答率とを有する複数の検査結果情報が格納される検査結果情報格納部にアクセス可能なコンピュータを、
【数６】
0006021404.tif 000012
（ただし、ｙは正答率、ｘは視力の評価値、ｘ50およびｎは係数）
で表される曲線関数を前記複数の検査結果情報に含まれる視力の評価値と正答率との関係を示す曲線である知覚確率曲線の曲線関数とするための当該曲線関数の係数ｎの値を最小二乗法を用いて取得する係数取得部と、
前記係数ｎの値を出力する出力部として機能させるためのプログラム。
【発明の詳細な説明】
【技術分野】
【０００１】
本発明は、視力を評価する視力評価装置等に関するものである。
【背景技術】
【０００２】
視機能の評価値として最も使われているのが視力であり、わが国では従来から最小分離角の逆数から求めた小数視力を採用している。臨床的には視力表の大きな視標から小さな視標にかけて順に読ませ、半数以上の正答が得られる最小の視標の段の値を視力値としている（例えば、非特許文献1参照）。
【０００３】
小数視力は最小分離角の逆数であり数字の値による間隔は等間隔ではないため、小数視力のまま平均値を求めるなど統計処理を行うことはできない。そのため、計算を伴う検討においては、例えば、最小分離角（Minimal Angle of Resolution,ＭＡＲ）の常用対数であるｌｏｇＭＡＲが用いられていた。ｌｏｇＭＡＲを用いた場合、視標の最小視角の値の変化が等間隔であれば、ｌｏｇＭＡＲの値の変化も等間隔となるという特徴がある
【０００４】
ｌｏｇＭＡＲを視力の評価値として用いた視力表の一つにＥＴＤＲＳ(Early Treatment Diabetic Retinopathy Study)チャートがあり、欧米では多くの臨床研究で用いられている（例えば、非特許文献２参照）。この方法では、従来より５倍細かい目盛で視力評価が可能である。
【先行技術文献】
【非特許文献】
【０００５】
【非特許文献１】大野京子、吉田武史著  「II−Ａ−２  視力検査  眼科学第２版  大鹿哲郎編」、文光堂、２０１１年、ｐ６９６−７００
【非特許文献２】前田直之著  「あたらしい眼科  ２６（１１）  臨床研究や治験における視力検査」、メディカル葵出版、２００９年、ｐ１４７１−１４７６
【発明の概要】
【発明が解決しようとする課題】
【０００６】
しかしながら、従来は、精密かつ容易に被検者の視機能に関する評価（例えば、視力の評価や、視機能の異常の有無の判断等）を行うことができないという課題があった。
【０００７】
例えば、小数視力を用いて視力を評価する場合において、視力表の一の小数視力を示す段に同じ大きさの５つの視標が並んでいたとすると、ある一の段で３つ以上正答し、この一の段よりも１段階小数視力の値が高い次の段で２つ以下の正答であったとき、その一の段に対応した小数視力の値を被検者の視力であると判定していた。即ち、視力表において、正答率が５０％を超えていた段のうちの、小数視力の値が最も高い段の小数視力の値を被検者の視力であると判定していた。そのため、従来の視力の評価方法においては、視力表のある段から順に、視標の小さな段に向かって視標を読ませた場合の正答率が、１００％、８０％、６０％、４０％と変化した被検者と、６０％、６０％、６０％、２０％と変化した被検者とが、同じ視力値と評価されていた。この場合、二人の被検者の視機能はおそらく異なっているものと考えられるが、従来の評価方法では、視機能の違いを明確に示すことができなかった。
【０００８】
また、上述したようなＥＴＤＲＳチャートを用いて視力を精密に評価することも考えられるが、このチャートを用いて視力を評価するためには、日本で一般に普及している視力検査装置とは異なる専用の検査装置が必要であることから、日本の視力測定方法の代用として容易に置きかえることはできなかった。
【０００９】
また、例えば、従来においては、視標を用いた視力検査の結果のみを用いて、黄斑変性や網膜機能障害による視機能異常の原因を判断することができなかった。
【課題を解決するための手段】
【００１０】
本発明の視力評価装置は、複数の視力の評価値と対応付けられた複数の視標について行われた被検者の視力の検査結果を示す情報であって、視力の評価値と、視力の評価値と対応付けられた複数の視標に対する正答率とを有する複数の検査結果情報が格納される検査結果情報格納部と、複数の検査結果情報に含まれる視力の評価値と正答率との関係を示す曲線である知覚確率曲線の係数を取得する係数取得部と、知覚確率曲線の係数を用いて、被検者の視力の評価値を取得する評価値取得部と、評価値取得部が取得した被検者の視力の評価値を出力する出力部とを備えた視力評価装置である。
【００１１】
かかる構成により、視力検査の結果が示す視力の評価よりも精密な視力の評価を、容易に行うことができる。
【００１２】
また、本発明の視力評価装置は、前記視力評価装置において、係数取得部は、予め指定された曲線関数を複数の検査結果情報に含まれる視力の評価値と正答率とに適合させるための曲線関数の係数を、知覚確率曲線の係数として取得する視力評価装置である。
【００１３】
かかる構成により、視力の検査結果に応じた知覚確率曲線の係数を用いて、精密な視力の評価を容易に行うことができる。
【００１４】
また、本発明の視力評価装置は、前記視力評価装置において、係数取得部は、
【数１】
0006021404.tif 000002
（ただし、ｙは正答率、ｘは視力の評価値、ｘ50およびｎは係数）で表される曲線関数を複数の検査結果情報に含まれる視力の評価値と正答率とに適合させるための曲線関数の係数を、知覚確率曲線の係数として取得する視力評価装置である。
【００１５】
かかる構成により、視力の検査結果に適合した、視力に最適な知覚確率曲線の係数を用いて、視力の評価を行うことができ、精密な視力の評価を、容易に行うことができる。
【００１６】
また、本発明の視力評価装置は、前記視力評価装置において、係数取得部は、最小二乗法を用いて、予め指定された曲線関数を複数の検査結果情報に含まれる視力の評価値と正答率とに適合させるための曲線関数の係数を取得する視力評価装置である。
【００１７】
かかる構成により、視力の検査結果に応じた知覚確率曲線の係数を用いて、精密な視力の評価を容易に行うことができる。
【００１８】
また、本発明の視力評価装置は、前記視力評価装置において、係数取得部は、曲線関数の係数ｘ50の値を取得し、評価値取得部は、係数ｘ50の値に対応する視力の評価値を取得する視力評価装置である。
【００１９】
かかる構成により、視力の検査結果に応じた知覚確率曲線の係数から視力の評価値を取得することができ、精密な視力の評価をより容易に行うことができる。
【００２０】
また、本発明の視力評価装置は、前記視力評価装置において、係数取得部は、更に、曲線関数の係数ｎの値を取得し、出力部は、係数ｎの値を出力する視力評価装置である。
【００２１】
かかる構成により、視機能の状態を示す係数ｎを用いて、視機能の評価、例えば、視機能の異常の有無等の評価を更に行うことができる。
【００２２】
また、本発明の視力評価装置は、前記視力評価装置において、複数の視力の評価値と対応付けられた複数の視標について行われた被検者の視力の検査結果を示す情報であって、視力の評価値と、視力の評価値と対応付けられた複数の視標に対する正答率とを有する複数の検査結果情報が格納される検査結果情報格納部と、
【数２】
0006021404.tif 000003
（ただし、ｙは正答率、ｘは視力の評価値、ｘ50およびｎは係数）で表される曲線関数を複数の検査結果情報に含まれる視力の評価値と正答率との関係を示す曲線である知覚確率曲線の曲線関数とするための曲線関数の係数ｎの値を取得する係数取得部と、係数ｎの値を出力する出力部とを備えた視力評価装置である。
【００２３】
かかる構成により、視機能の状態を示す係数ｎを用いて、視機能の評価、例えば、視機能の異常の有無等の評価を行うことができる。
【００２４】
また、本発明の視力評価装置は、前記視力評価装置において、視力の評価値と、当該視力の評価値に対応する視標の識別情報である視標識別情報と、当該視標に対する被検者の解答とを有する解答情報が複数格納される解答情報格納部と、視標識別情報と、当該視標識別情報が示す視標についての正しい答えを示す情報である正答情報とを有する正答管理情報が複数格納される正答管理情報格納部と、各解答情報に含まれる視標識別情報に対応する正答情報を正答管理情報から取得し、各解答情報について取得した正答情報と、当該各解答情報に含まれる解答とを比較して、各解答情報が示す解答が正答であるか否かの判断結果を取得し、同一の視力の評価値と対応付けられて解答情報格納部に格納されている複数の解答情報の数と、当該複数の解答情報について取得された判断結果とを用いて、視力の評価値毎の正答率を算出し、当該視力の評価値と正答率とを有する複数の検査結果情報を検査結果情報格納部に蓄積する検査結果情報取得部と、を更に備えた視力評価装置である。
【００２５】
かかる構成により、視力の評価値毎に用意された複数の視標についての被検者の解答を蓄積しておくことで、精密かつ容易に被検者の視力に関する評価を行うことができる。
【発明の効果】
【００２６】
本発明による視力評価装置等によれば、精密かつ容易に被検者の視力に関する評価を行うことができる。
【図面の簡単な説明】
【００２７】
【図１】本発明の実施の形態における視力評価装置のブロック図
【図２】同動作の一例について説明するフローチャート
【図３】同入力インターフェース画面の一例を示す図
【図４】同検査結果情報の一例を示す図
【図５】同検査結果情報管理表を示す図
【図６】同出力例を示す図
【図７】同検査結果情報の一例を示す図
【図８】同出力例を示す図
【図９】同検査結果情報の一例を示す図
【図１０】同出力例を示す図
【図１１】同出力例を示す図
【図１２】本発明の実施の形態におけるコンピュータシステムの外観の一例を示す図
【図１３】同構成の一例を示す図
【図１４】本発明の実施の形態における視力評価装置の一例を示す図
【発明を実施するための形態】
【００２８】
以下、視力評価装置等の実施形態について図面を参照して説明する。なお、実施の形態において同じ符号を付した構成要素は同様の動作を行うので、再度の説明を省略する場合がある。
【００２９】
（実施の形態）
図１は、本実施の形態における視力評価装置１のブロック図である。
【００３０】
視力評価装置１は、検査結果情報格納部１０、検査結果取得部１１、係数取得部１２、モデル関数格納部１３、評価値取得部１４、出力部１５を備える。
【００３１】
検査結果情報格納部１０には、複数の検査結果情報が格納される。一の検査結果情報は、一の視力の評価値と対応付けられた複数の視標について行われた、一の被検者の視力の検査結果を示す情報である。検査結果情報格納部１０には、少なくとも、一の被検者についての、異なる複数の視力の評価値と対応付けられた複数の検査結果情報が格納されている。検査結果情報は、視力の評価値と、この視力の評価値と対応付けられた複数の視標に対する被検者の正答率とを有する情報である。なお、ここでの一の被検者の視力の検査結果とは、一の被検者の一の眼についての視力の検査結果と考えても良い。かかることは以下においても同様である。視標とは、視力の評価に用いられる文字や記号等である。例えば、ランドルト環等が一般的に知られている。視力の評価値とは、視力の評価結果を示す値である。視力の評価値は、例えば、小数視力や、ｌｏｇＭＡＲ等である。ｌｏｇＭＡＲは、最小分離角（ＭＡＲ）の常用対数である。最小分離角は、最小視角とも呼ばれる。最小分離角は、被検者がかろうじて判別できる二点のなす最小の角（視角）である。なお、例えば、上記以外の評価値を用いても良い。本実施の形態においては、例えば、検査結果情報格納部１０に格納される視力の評価値として、ｌｏｇＭＡＲを用いる場合を例に挙げて説明する。視標について行われた視力の検査とは、例えば、２以上（好ましくは３以上）の視力の評価値のそれぞれについて、対応する複数の視標を用意し、視力の評価値にそれぞれ対応する複数の視標を被検者に順次読ませて、被検者の読み取った各視標が、実際の視標と一致するか否かを判断する検査である。被検者の正答率とは、一の視力の評価値について被検者が読み取った視標のうちの答えが正しかった比率であり、具体的には、読み取った視標に対する実際の視標と一致していた比率である。ただし、正答率は、実質的に答えが正しかった比率を示すことが可能な情報であればよく、例えば、不正答率を正答率として扱うようにしても良い。また、被検者に読み取らせる視票数が一定である場合等には正答数を正答率として扱うようにしても良い。
【００３２】
検査結果情報格納部１０に格納される複数の検査結果情報は、好ましくは、異なる視力の評価値と対応付けられた２以上の正答率であって、正答率に関する閾値をまたぐ２つの正答率を含む検査結果情報である。正答率に関する閾値とは、被検者が一の視力の評価値に対応する視標を、正確に読み取ることができたか否かを判断するために用いられる正答率の閾値である。通常は、一の視力の評価値に対応する複数の視標を、被検者が読み取った場合において、正答率が閾値以上であれば、その一の視力の評価値以上の視力を被検者が有していると判断される。例えば、小数視力についての視力検査における閾値としては、通常は５０％が用いられる。検査結果情報格納部１０に格納される複数の検査結果情報は、より好ましくは、閾値をまたぐ正答率を含む検査結果情報であって、閾値に最も近い二つの正答率を含む２つの検査結果情報を少なくとも含んでいることが好ましい。
【００３３】
また、検査結果情報格納部１０には、異なる視力の評価値をそれぞれ有する３以上の検査結果情報が格納されることが好ましい。また、この３以上の検査結果情報は、連続している３段以上の視力の評価値とそれぞれ対応付けられた視標について行われた視力の検査結果に対応する検査結果情報であることが好ましい。より好ましくは、正答率が閾値（例えば、５０％）を超えた最初の検査結果情報を中心とした３点であることが好ましい。
【００３４】
なお、検査結果情報格納部１０には、異なる被検者の検査結果情報が、被検者の識別情報と対応付けて格納されていても良い。
【００３５】
ここでの格納とは、一時記憶も含む概念である。検査結果情報格納部１０に検査結果情報が記憶される過程は問わない。ここでは、一例として、後述する検査結果取得部１１が取得した検査結果情報が、検査結果情報格納部１０に蓄積される場合を例に挙げて説明する。検査結果情報格納部１０は、不揮発性の記録媒体が好適であるが、揮発性の記録媒体でも実現可能である。
【００３６】
検査結果取得部１１は、複数の検査結果情報を取得する。そして、取得した検査結果情報を、検査結果情報格納部１０に蓄積する。ここでの取得は、例えば、検査結果情報の受け付けも含む概念である。例えば、検査結果取得部１１は、図示しない入力手段等を介してユーザから入力された検査結果情報を取得する。また、検査結果取得部１１は、図示しない入力手段等を介して受け付けた、検査に用いられた一の視力の評価値に対応する視標数と、被検者の正答数との組を用いて、一の視力の評価値について正答率を算出し、この正答率と一の視力の評価値とを有する検査結果情報を取得しても良い。また、検査結果取得部１１は、図示しない入力手段等を介して、検査に用いられた一の視力の評価値に対応する複数の視標のそれぞれについての、被検者が正答したか否かを示す情報を受け付け、この情報を集計することで、一の視力の評価値について正答率を算出し、この正答率と一の視力の評価値とを有する複数の検査結果情報を取得しても良い。上記の正答率は、例えば、正答数を検査に用いられた視標数で除算することで算出できる。また、異なる視力の評価値についてそれぞれ検査結果情報を取得するためには、上記の処理を異なる視力の評価値ごとに行うようにすればよい。また、検査結果取得部１１は、入力手段等を介して受け付けた検査結果情報が有する視力の評価値を異なる種類の評価値に変換しても良い。例えば、入力手段等を介して受け付けた検査結果情報が有する視力の評価値が、最小分離角の常用対数で表された値であるｌｏｇＭＡＲでない場合（例えば、小数視力等である場合）において、この視力の評価値をｌｏｇＭＡＲに変換してもよい。ｌｏｇＭＡＲは、最小分離角の常用対数で視力の評価を示した値であり、小数視力は、最小分離角の逆数の関数で視力の評価を示した値であることから、演算や変換テーブル等を用いることで、相互に変換が可能である。ここでの受付とは、例えば、入力手段からの受付や、他の機器等から送信される入力信号の受信や、記録媒体等からの情報の読み出し等である。入力手段は、テンキーやキーボードやマウスやメニュー画面によるもの等、何でも良い。
【００３７】
ここで、検査結果情報取得部１１の一例について説明する。なお、ここでの処理は、一の被検者についての検査結果として得られた情報を用いた処理を一例として説明する。
【００３８】
なお、ここでは、予め、図示しない解答情報格納部に、視力の評価値と、当該視力の評価値に対応する視標の識別情報である視標識別情報と、当該視標に対する被検者の解答とを有する解答情報が複数格納されるものとする。解答情報は、視標が示すものとして被検者が解答した内容を示す情報である。例えば、視標がランドルト環である場合、解答情報は、ランドルト環の切れ目の向きを示す値（例えば、上下左右等）である。視標識別情報は、検査に用いられた視標を識別可能な情報であればよく、例えば、一の視力の評価値に対応付けられている視標を識別可能な情報であればよい。例えば、視標識別情報は、視標毎に個別に割り当てられた識別可能なコード等であっても良いし、視標の右（あるいは左）から数えた順番等の値であっても良い。また、視標識別情報は、視標が対応付けられている視力の評価値との組合せにより、視標を識別可能な情報であっても良い。なお、解答情報格納部に格納されている複数の解答情報は、異なる視力の評価値を含む複数の解答情報で構成されていることが好ましい。また、解答情報格納部には、各視力の評価値を含む解答情報が複数格納されていることが好ましい。更には、解答情報格納部に格納されている各視力の評価値を含む複数の解答情報は、異なる視標識別情報を有するものであることが好ましい。
【００３９】
また、図示しない正答管理情報格納部には、視標識別情報と、当該視標識別情報が示す視標についての正しい答えを示す情報である正答情報とを有する正答管理情報が複数格納されるものとする。なお、解答情報格納部および正答管理情報格納部は、不揮発性の記録媒体が好適であるが、揮発性の記録媒体でも実現可能である。また、ここでの格納は一時記憶であっても良い。ここでの視標識別情報は、検査に用いられた視標を識別可能な情報であり、通常は、解答情報に含まれる視標識別情報と同じものが用いられる。但し、解答情報に含まれる視標識別情報と視力の評価値との組合せを、正答情報の視標識別情報としても良い。なお、正答情報が、さらに、視力の評価を有するようにしても良い。正答情報とは、視標が示すものの正しい答えを示す情報である。例えば、視標がランドルト環である場合、正答情報は、ランドルト環の切れ目の向きを示す値（例えば、上下左右等）である。ただし、正答情報は、視標が示すものの正しい答えを結果的に示すことが可能な情報であればよく、不正解のものを示す情報であっても良い。
なお、解答情報格納部および正答管理情報格納部は、不揮発性の記憶媒体または揮発性の記憶媒体で実現されうる。また、ここでの格納は一時記憶も含む概念である。
【００４０】
検査結果取得部１１は、図示しない正答管理情報格納部に格納されている正答管理情報から、図示しない解答情報格納部に格納されている各解答情報に含まれる視標識別情報にそれぞれ対応する正答情報を取得する。図示しない解答情報格納部に格納されている各解答情報とは、ここでは、一の被検者と対応付けられた各解答情報である。
【００４１】
検査結果取得部１１は、上記で各解答情報について取得した正答情報と、各解答情報に含まれる解答とを比較して、前記各解答情報が示す解答が正答であるか否かの判断結果を解答情報毎に取得する。例えば、正答情報が、正しい答えを示す情報である場合、解答がこの値と一致するか否かを判断し、一致する場合、正答であることを示す判断結果を取得する。また、一致しない場合、正答でないことを示す判断結果を取得する。なお、判断結果は、結果的に、正答数を取得することが可能な情報であればよい。検査結果取得部１１は、正答である場合の判断結果、または正答でない場合の判断結果の一方のみを取得するようにしても良い。
【００４２】
検査結果取得部１１は、同一の視力の評価値と対応付けられて解答情報格納部に格納されている複数の解答情報の数を、視力の評価値毎に算出する。例えば、視力の評価値が同一である解答情報を検索し、検出数をカウントする。
【００４３】
検査結果取得部１１は、上記で算出した同一の視力の評価値と対応付けられて解答情報格納部に格納されている解答情報の数と、この複数の解答情報のそれぞれについて取得された判断結果とを用いて、視力の評価値毎の正答率を算出する。例えば、検査結果取得部１１は、同一の視力の評価値と対応付けられて解答情報格納部に格納されている解答情報の数と、この複数の解答情報のそれぞれについて取得された判断結果のうちの、正答であることを示す判断結果の数とを用いて、視力の評価値毎の正答率を算出する。具体的には、正答であることを示す判断結果の数を、解答情報の数で除算することで、正答率を算出する。これが、例えば、一の視力の評価値についての正答率であり、同様の正答率を、解答情報が有している他の視力の評価値についても行う。正答率は、割合で示されても良いし、百分率で示されても良い。これにより、解答情報に格納されている視力の評価値毎に、視力の評価値と正答率の組とを取得することができる。
【００４４】
そして、検査結果取得部１１は、このようにして取得した視力の評価値と正答率とを有する複数の検査結果情報を、検査結果情報格納部１０に蓄積する。なお、検査結果取得部１１が検査結果情報を蓄積する際に、視力の評価値を変換するようにしても良い。例えば、解答情報に格納されている視力の評価値が小数視力で表された視力の評価値である場合、検査結果取得部１１は、上記で取得した小数視力で表された視力の評価値を、演算や変換テーブル等を用いてｌｏｇＭＡＲに変換し、変換したｌｏｇＭＡＲと正答率とを有する検査結果情報を、検査結果情報格納部１０に蓄積するようにしてもよい。
【００４５】
検査結果取得部１１は、例えば、テンキーやキーボード等の入力手段のデバイスドライバーや、メニュー画面の制御ソフトウェア等で実現され得る。また、検査結果取得部１１は、正答率等を算出するための手段として、ＭＰＵやメモリ等やハードウェア（専用回路）を有していても良い。
【００４６】
係数取得部１２は、知覚確率曲線の係数を取得する。係数を取得するということは、係数の値を取得することと考えて良い。知覚確率曲線とは、検査結果情報格納部１０に格納されている複数の検査結果情報に含まれる視力の評価値と正答率との関係を示す曲線である。知覚確率曲線は、具体的には、複数の検査結果情報に含まれる視力の評価値と、各視力の評価値と対応付けられた視標に対する一の被検者の正答率との関係を示す曲線である。
【００４７】
係数取得部１２は、例えば、検査結果情報格納部１０に格納されている複数の検査結果情報に含まれる評価値と正答率とに適合する知覚確率曲線の係数を取得する。例えば、係数取得部１２は、一の被検者（あるいは一の被検者の一の眼）に対して行われた視力の検査結果を示す、異なる視力の評価値とそれぞれ対応付けられた複数の検査結果情報に含まれる評価値と正答率とに適合する知覚確率曲線の係数を取得する。複数の検査結果情報に適合する知覚確率曲線とは、例えば、複数の検査結果情報にそれぞれ含まれる視力の評価値と正答率とを近似する曲線や、複数の検査結果情報にそれぞれ含まれる視力の評価値と正答率とについて得られる回帰曲線と考えても良い。複数の検査結果情報に適合する知覚確率曲線の係数を取得するということは、例えば、複数の検査結果情報を近似する曲線や複数の検査結果情報についての回帰曲線を示す曲線関数の係数を取得することと考えても良い。ここでの知覚確率曲線の係数とは、知覚確率曲線の曲線関数の係数を意味すると考えても良い。知覚確率曲線の係数を取得するということは、知覚確率曲線の曲線関数を特定することとなることから、結果的には知覚確率曲線を取得することと考えても良い。
【００４８】
ここで、通常、視力検査における正答率と視力の評価値との変化は、Ｓ字状の知覚確率曲線を描くことから、一の被検者の一の眼についての複数の検査結果情報に適合させた（フィットさせた）Ｓ字曲線の曲線関数は、例えば、一の被検者の一の眼の知覚確率曲線を表すと考えられる。このため、係数取得部１２は、例えば、予め用意されている曲線関数を取得し、この曲線関数を複数の検査結果情報に適合させるための係数を算出するようにしてもよい。これにより適合された曲線関数が、知覚確率曲線であり、算出された係数が、知覚確率曲線の係数である。この予め用意されている曲線関数は、Ｓ字曲線の曲線関数であることが好ましい。ただし、予め指定された曲線は、Ｓ字曲線以外の曲線を描く曲線関数であっても良い。ここでは、この予め用意されている曲線関数をモデル関数と呼ぶ。モデル関数は、知覚確率曲線を取得するためのモデルとなる曲線関数と考えてもよい。例えば、係数取得部１２は、一のモデル関数と複数の検査結果情報に含まれる視力の評価値と正答率との複数の組とを用いて、この一のモデル関数を複数の検査結果情報に含まれる視力の評価値と正答率とに適合させるための、当該モデル関数の係数を算出する。この算出した係数を上記の一のモデル関数に代入したものが、例えば、複数の検査結果情報に適合した知覚確率曲線であり、この算出した係数が、複数の検査結果情報に適合した知覚確率曲線の係数である。モデル関数は、例えば、１以上の値が未決定である係数を有する曲線関数である。なお、モデル関数を表す式は、例えば、知覚確率曲線を示す回帰式と考えても良い。また、複数の検査結果情報に適合させた知覚確率曲線の係数は、知覚確率曲線を示す回帰式の係数と考えても良い。知覚確率曲線は、通常、各被検者の各眼毎に取得される。
【００４９】
なお、係数取得部１２が、複数の検査結果情報に適合する知覚確率曲線の係数を取得するということは、予め指定された曲線関数（モデル関数）が、前記複数の検査結果情報に含まれる視力の評価値と正答率との関係を示す曲線となるように、当該曲線関数の係数を決定し、当該決定した係数を前記知覚確率曲線の係数として取得することと考えても良い。
【００５０】
係数取得部１２は、具体的には、最小二乗法（least squares method）を用いて、モデル関数を複数の検査結果情報に含まれる視力の評価値と正答率とに適合させるための、このモデル関数の係数を取得する。このようにして取得されたモデル関数の係数が、複数の検査結果情報に適合する知覚確率曲線の係数となる。例えば、係数取得部１２は、視力の評価値と、視力の評価値に対応する視標についての正答率とをそれぞれ示す座標で構成される直交座標系において、複数の検査結果情報が有する視力の評価値と正答率との組により表される複数の座標のそれぞれからの距離の二乗の合計が最小となるような曲線関数（好ましくはＳ字の曲線関数）の係数を、モデル関数を用いて取得する。具体的には、係数取得部１２は、一のモデル関数と、複数の検査結果情報がそれぞれ示す複数の座標との距離の二乗の合計が最小となるように、上記の一のモデル関数の係数を決定（具体的には算出）する。このようにして決定された係数をモデル関数に代入したものが、複数の検査結果情報に適合した知覚確率曲線となる。なお、最小二乗法により、複数の座標に適合するよう、一のモデル関数の係数を決定する処理は、公知の技術であるので、ここでは詳細な説明は省略する。
【００５１】
なお、複数の座標に適合するよう、一のモデル関数の係数を決定する処理は、最小二乗法以外の、回帰分析等に用いられる方法を用いた処理であってもよい。また、一のモデル関数は、予め指定されているモデル関数であっても良いし、ユーザにより指定されたモデル関数であっても良い。なお、モデル関数が、検査結果情報に含まれる視力の評価値と正答率等の測定により得られた値に適合するよう、このモデル関数の係数を算出する処理については、回帰分析等の処理においては公知の技術であるので、ここでは詳細の説明については省略する。
【００５２】
ここで、上記で用いられるモデル関数の好ましい例について説明する。生理学や医学の分野においては、以下に示すような、酸素の解離曲線を示すＨｉｌｌの式と呼ばれる式が従来知られていた。
【数３】
0006021404.tif 000004
なお、Ｐ50、ｎは係数である。
【００５３】
上記の酸素の解離曲線の式の詳細については、以下の非特許文献３を参考にされたい。「非特許文献３：Takahashi et al. 著「Theoretical analysis of oxygen consumption by vascular walls exposed to hemodynamic stress in the human retinal microvascular network.」 Trans Jpn Soc Med Biol Eng 48: 482-493, 2010.」。
【００５４】
本願発明者は、鋭意研究を行った結果、視力の評価値と正答率との対応関係を示すモデル関数として、上記の式（１）を利用した以下に示すようなモデル関数を用いることが最適であるという知見を得た。
【数４】
0006021404.tif 000005
なお、ｘ50およびｎは係数である。
【００５５】
ｘ50は、具体的には変曲点である。変曲点とは、例えば、正答率が５０％となる視力の評価値である。ここでの予め指定された値は、被検者の正確な視力の評価値に対応する正答率の値と考えてもよい。また、ｎは、上記のモデル関数の傾きを示す値（言い換えれば、変化の度合いを示す値）と考えても良い。
【００５６】
ここで、さらに、本願発明者は、鋭意研究を行った結果、上記の式（２）における変化の度合の程度を評価できる値であるｎ値が、視機能の評価値として利用できるというこれまでにない新たな知見を得た。例えば、黄斑変性など網膜機能に障害のある患者や疾病を持つ患者においては、治療によっても得られる視力に限界がある場合がある。そのため視力検査においては、障害や疾病を持つ患者においては、正答率の変化が正常人と異なる可能性がある。したがって、上記の式（２）の傾きを示す値であるｎ値の値により、被検者の視機能を判断することが可能となる。
【００５７】
係数取得部１２は、例えば、上記の式（２）で表される曲線関数を、複数の検査結果情報に適合させるためのこの式（２）の曲線関数の係数を、知覚確率曲線の係数として取得する。係数取得部１２は、例えば、検査結果情報格納部１０に格納されている複数の検査結果情報を用いて最小二乗法を行うことにより、上記の式（２）が示すモデル関数を、複数の検査結果情報に適合させた場合の、モデル関数の係数であるｘ50およびｎの値を取得する。
【００５８】
なお、係数取得部１２は、モデル関数が複数の係数を有する場合、全ての係数の値を取得しても良いし、複数の係数のうちの１部のみの値を取得しても良い。例えば、式（２）に示すモデル関数を用いる場合には、係数ｘ50だけを取得するようにしても良い。後述するように、この係数ｘ50を用いることで、被検者の視力の評価値を取得することが可能であるからである。
【００５９】
なお、係数取得部１２は、上記以外の生理学および医学に関する知覚確率曲線を示すモデル関数を用いるようにしても良い。
【００６０】
また、上記以外の生理学に関するＳ字曲線関数である知覚確率曲線をモデル関数として用いてもよい。
【００６１】
また、上記の式（２）等を部分的に変更した式をモデル関数として用いるようにしても良い。
【００６２】
また、モデル関数として用いる曲線の関数として、複数の関数を組み合わせた（複合した）関数である複合関数を用いるようにしても良い。そして、このような複合関数を用いて、知覚確率曲線を取得するようにしても良い。例えば、複合関数は、正答率の値の範囲毎に、異なる複数の関数を組み合わせた関数である。一例を挙げると、複合関数は、正答率が、０％以上２０％未満の範囲と、２０％以上８０％未満の範囲と、８０％以上１００％以下の範囲とで、それぞれ異なる関数を組み合わせた関数である。
【００６３】
なお、モデル関数は、例えば、後述するモデル関数格納部１３に予め格納しておくようにして、係数取得部１２は、モデル関数格納部１３から適宜モデル関数を読み出して、このモデル関数を用いて検査結果情報に適合させた知覚確率曲線の係数を取得するようにしてもよい。
【００６４】
係数取得部１２は、通常、ＭＰＵやメモリ等から実現され得る。係数取得部１２の処理手順は、通常、ソフトウェアで実現され、当該ソフトウェアはＲＯＭ等の記録媒体に記録されている。但し、ハードウェア（専用回路）で実現しても良い。
【００６５】
モデル関数格納部１３には、モデル関数が格納される。ここでの格納は，一時記憶も含む概念である。モデル関数格納部１３は、不揮発性の記録媒体が好適であるが、揮発性の記録媒体でも実現可能である。
【００６６】
評価値取得部１４は、係数取得部１２が取得した知覚確率曲線の係数を用いて、被検者の視力の評価値を取得する。ここで取得する視力の評価値は、被検者の最終的な視力の評価値と考えても良い。例えば、評価値取得部１４は、係数取得部１２が、一のモデル関数について取得した、知覚確率曲線の係数を、一のモデル関数に代入して知覚確率曲線の式を取得し、この知覚確率曲線の式に、予め指定された正答率の値を入力した場合の、視力の評価値を算出する。予め指定された正答率の値とは、例えば、被検者の正確な視力の評価値を判断する際に用いられる正答率である。例えば、通常の視力の検査においては、一の視力の評価値と対応付けられた複数の視標に対する、被検者の正答率が５０％となった場合に、この視力の評価値が、被検者の正確な視力の評価値であると判断することから、ここでの予め指定された正答率としては５０％を用いることが好ましい。ただし、臨床的には、視標に対する被検者の正答率が５０％以外の値、例えば、６０％となった場合に、この視力の評価値を被検者の正確な視力の評価値であると判断することもあるため、ここでの予め指定された正答率として、５０％以外の値、例えば、６０％や、５０％の前後の値等を設定するようにしても良い。なお、ここで取得する視力の評価値は、被検者の最終的な視力の評価値と考えても良い。
【００６７】
また、特に、知覚確率曲線の係数を得るためのモデル関数として、上記で示した式（２）を用いる場合、また、評価値取得部１４は、係数取得部１２が取得した知覚確率曲線の係数の一つである係数ｘ50を用いて、視力の評価値を取得してもよい。この係数ｘ50は、上述したように、式（２）が示すモデル関数を用いて取得された知覚確率曲線における正答率が５０％となる視力の評価値である。このため、この係数ｘ50の値が、被検者の正確な視力の評価値となる。本実施の形態の具体例においては、この係数ｘ50を用いて、視力の評価値を取得する場合について説明する。
【００６８】
なお、評価値取得部１４は、上記で取得した視力の評価値を、異なる種類の視力の評価値に変換するようにしても良い。例えば、知覚確率曲線の係数に利用される視力の評価値として、上述したようなｌｏｇＭＡＲを用いる場合、評価値取得部１４は、このｌｏｇＭＡＲの値を小数視力等の値に変換した値を、視力の評価値として取得するようにしてもよい。上述したように、ｌｏｇＭＡＲと、最小分離角等の他の視力の評価値は、演算等により相互に変換可能である。
【００６９】
評価値取得部１４は、通常、ＭＰＵやメモリ等から実現され得る。評価値取得部１４の処理手順は、通常、ソフトウェアで実現され、当該ソフトウェアはＲＯＭ等の記録媒体に記録されている。但し、ハードウェア（専用回路）で実現しても良い。
【００７０】
出力部１５は、評価値取得部１４が取得した被検者の視力の評価値を出力する。ここで出力する視力の評価値は、小数視力であっても、ｌｏｇＭＡＲであっても良く、評価値の種類等は問わない。また、出力部１５は、評価値取得部１４が上記の式（２）で示したモデル関数を用いて取得した係数ｎの値を、更に出力するようにしても良い。例えば、このｎの値は、上述したように、被検者の視機能の状態を示す値として利用できると考えられることから、このｎの値を出力することで、被検者の視機能の異常の有無の診断等を行うことも可能となる。
【００７１】
なお、出力部１５は、係数取得部１２が取得した係数を、モデル関数に代入して得られる知覚確率曲線のグラフ等を更に出力するようにしても良い。
【００７２】
ここで述べる出力とは、ディスプレイへの表示、プロジェクターを用いた投影、プリンタへの印字、外部の装置への送信、記録媒体への蓄積、他の処理装置や他のプログラムなどへの処理結果の引渡しなどを含む概念である。
【００７３】
出力部１５は、ディスプレイやプリンタ等の出力デバイスを含むと考えても含まないと考えても良い。出力部１５は、出力デバイスのドライバーソフトまたは、出力デバイスのドライバーソフトと出力デバイス等で実現され得る。
【００７４】
次に、視力評価装置１の動作の一例について図２のフローチャートを用いて説明する。
【００７５】
（ステップＳ１０１）検査結果情報取得部１１は、複数の視力の評価値と対応付けられた複数の検査結果情報を受け付けたか否かを判断する。受け付けた場合、ステップＳ１０２に進み、受け付けていない場合、ステップＳ１０１に戻る。
【００７６】
（ステップＳ１０２）検査結果情報取得部１１は、ステップＳ１０１で受け付けた検査結果情報を、検査結果情報格納部１０に蓄積する。ここでの蓄積は一時記憶であっても良い。
【００７７】
（ステップＳ１０３）係数取得部１２は、モデル関数格納部１３に格納されているモデル関数を読み出す。例えば、式（２）で示されたモデル関数を読み出す。
【００７８】
（ステップＳ１０４）係数取得部１２は、ステップＳ１０２で蓄積された複数の検査結果情報を用いて、これらの検査結果情報に適合した、ステップＳ１０３で読み出したモデル関数の係数を取得する。例えば、係数取得部１２は、最小二乗法を用いることで係数を取得する。この係数が被検者の知覚確率曲線の係数である。
【００７９】
（ステップＳ１０５）評価値取得部１４は、係数取得部１２がステップＳ１０４で取得した係数を用いて、被検者の視力の評価値を取得する。例えば、モデル関数として式（２）を用いた場合、係数取得部１２が取得した係数ｘ50の値をそのまま、あるいはこの係数ｘ50の値を異なる評価値に変換した評価値を、被検者の視力の評価値として取得する。
【００８０】
（ステップＳ１０６）出力部１５は、ステップＳ１０５で取得した視力の評価値等を出力する。出力部１５は、例えば、視力の評価値に加えて、ステップＳ１０４で取得されるｎ値を出力しても良いし、ステップＳ１０４で取得した係数を、式（２）で示したモデル関数に代入して得られた知覚確率曲線のグラフを作成して出力しても良い。このグラフにおいては、検査結果情報格納部１０に格納されている複数の検査結果情報がそれぞれ示す座標をプロットするようにしても良い。そして、処理を終了する。
【００８１】
以下、本実施の形態における視力評価装置１の具体的な動作について、一例を挙げて説明する。なお、この具体例においては、知覚確率曲線の係数を用いて、視標に対する被検者の正答率が５０％となる視力の評価値を取得する場合を例に挙げて説明する。ただし、この正答率は５０％以外の値に設定しても良い。
【００８２】
まず、ユーザが視力評価装置１のメニュー画面を操作すると、視力評価装置１の出力部１５が有するモニタ１５０に、視力結果情報の入力インターフェース画面が表示される。ここでのユーザとは、例えば、医師や、看護士等の医療従事者等であるとする。
【００８３】
図３は、視力評価装置１が表示する視力結果情報の入力インターフェース画面の一例を示す図である。入力インターフェース画面は、被検者の識別情報である「被検者ＩＤ」の入力欄と、視力の評価値である小数視力を入力する「小数視力」という入力欄と、その小数視力に対する被検者の正答率（％）を入力する「正答率」という入力欄とを有している。「小数視力」欄と、「正答率」欄との組は、予め複数（好ましくは３以上）用意されているものとする。なお、視力評価装置１は、どのような形態の装置であってもよく、例えば、図１４に示すようないわゆるタブレット型端末１ａやいわゆるスマートフォン等のような携帯型の情報端末であっても良いし、図１２に示すようなデスクトップ型の端末等であっても良い。
【００８４】
ユーザが、図３に示す入力インターフェース画面に対して、キーボード等を操作して、一の被検者の「被検者ＩＤ」である「０００２１」と、この一の被検者についての視力検査の検査結果である「小数視力」と、「正答率」との複数の組、即ち、複数の検査結果情報を入力したとする。
【００８５】
図４は、ユーザが入力した「被検者ＩＤ」が「０００２１」である被検者について入力した検査結果情報の一例を示す図である。ここでの検査結果情報数は、３以上であることが、検査結果情報に精度良く適合した知覚確率曲線の係数を取得するうえで好ましい。なお、「正答率」としては、ここでは一例として、被検者に対して、視力表の各小数視力毎に用意された５つの異なる視標について検査を行った場合の、正答率を用いている。例えば、一の小数視力の５つの視標について検査を行った場合の、正解数が「１」である場合は、正答率２０％、正解数が「３」である場合は、正答率が６０％となる。
【００８６】
図４に示した検査結果情報を検査結果取得部１１が受け付けた状態で、ユーザが、図３に示した入力インターフェース画面の「ＯＫ」ボタン３４を、マウス等を操作してクリックすると、検査結果取得部１１は、入力された「被検者ＩＤ」と検査結果情報とを、検査結果情報格納部１０に蓄積する。このとき、検査結果取得部１１は、「小数視力」の値を、全てｌｏｇＭＡＲに変換した検査結果情報を取得して、検査結果情報格納部１０に蓄積する。この変換は、例えば、「小数視力」の値から、最小分離角を算出し、これの常用対数を算出することで行うようにしても良いし、予め用意された小数視力と、ｌｏｇＭＡＲとの対応関係を示すテーブル等を用いて変換を行っても良い。
【００８７】
図５は、検査結果取得部１１により検査結果情報格納部１０に蓄積された検査結果情報を管理する検査結果情報管理表を示す図である。検査結果情報管理表は、「被検者ＩＤ」と「検査結果情報」という項目を有している。「検査結果情報」は、更に、「ｌｏｇＭＡＲ」と、「正答率」という項目を有している。
【００８８】
次に、係数取得部１２は、モデル関数格納部１３に格納されている、上述した式（２）で示したモデル関数を読み出す。そして、このモデル関数と、上記で示した検査結果情報管理表に格納されている検査結果情報のうちの、図３に示した入力インターフェース画面に入力された「被検者ＩＤ」の値である「０００２１」に対応する検査結果情報のレコード（行）を図５に示した検査結果情報管理表から読み出し、読み出したモデル関数と、読み出した複数の検査結果情報とを用いて、最小二乗法により、読み出したモデル関数を、読み出した複数の検査結果情報に適合させた場合の知覚確率曲線を示す曲線関数の係数を算出する。このことは、読み出した複数の検査結果情報を式（２）に示した回帰式に回帰させた場合の係数を最小二乗法により算出することと考えても良い。ここでは、なお、最小二乗法により、複数の検査結果情報を用いて回帰式の係数を算出する処理は公知の技術であるので、ここでは詳細な説明は省略する。
【００８９】
ここでは、係数を算出する処理の結果、係数取得部１２が、係数ｘ50の値として「０．２６」、係数ｎの値として「１５．５」を算出したとする。
【００９０】
評価値取得部１４は、係数取得部１２が取得した係数ｘ50の値「０．２６」を用いて、被検者の視力の評価値を取得する。具体的には、係数ｘ50は、正答率が５０％となる場合のｌｏｇＭＡＲであることから、評価値取得部１４は、被検者の視力の評価値であるｌｏｇＭＡＲとして、係数ｘ50の値である「０．２６」を取得する。評価値取得部１４は、このｌｏｇＭＡＲの値を取得した時点で、視力の評価値の取得処理を終了しても良いが、ここでは更に、評価値取得部１４は、このｌｏｇＭＡＲを用いて、小数視力を算出する。具体的には、ｌｏｇＭＡＲの値「０．２６」から最小分離角を算出し、この最小分離角を用いて、小数視力である「０．５５」を算出する。
【００９１】
出力部１５は、評価値取得部１４が取得した小数視力「０．５５」を、モニタ１５０に表示する。また、ここでは、上記で算出した係数ｘ50及び係数ｎの値を式（２）に代入して得られた知覚確率曲線を示す曲線関数のグラフもモニタ１５０に表示する。また、このグラフにおいて、出力部１５は、図５に示した検査結果情報管理表に格納されている各検査結果情報が示す座標がプロットを行う。また、出力部１５は、上記で取得した係数ｎの値であるｎ値「１５．５」も出力する。
【００９２】
図６は、出力部１５が出力する小数視力の値と、検査結果情報に適合した知覚確率曲線のグラフと、ｎ値の値とを示す図である。グラフにおいて、横軸（ｘ軸）は、ｌｏｇＭＡＲを示し、縦軸（ｙ軸）は、正答率を示す。この出力により、ユーザが「被検者ＩＤ」が「０００２１」である被検者の正確な視力の評価値を得ることができる。ここでの正確な視力の評価値は、正答率が５０％になると考えられる視力の評価値と考えても良い。また、出力部１５がｎ値を出力するため、このｎ値から、被検者が正常な視機能を有しているか等を判断することができる。
【００９３】
ここで、視力評価装置１を用いて異なる被検者の視力の検査結果について、上記と同様の処理を行ったとする。具体的には、「被検者ＩＤ」が「０００２２」である被検者についての、検査結果情報を視力評価装置１の図３と同様の入力インターフェース画面に入力したとする。
【００９４】
図７は、ユーザが視力評価装置１に入力した、「被検者ＩＤ」が「０００２２」である被検者の検査結果情報の一例を示す図である。図において、図４と同一の項目は、同一または相当する項目を示している。
【００９５】
図７のような検査結果情報を入力して、「ＯＫ」ボタン３４を押すと、係数取得部１２は、上記と同様に、知覚確率曲線の係数を取得する。ここでは、係数ｘ50の値として、係数ｎの値として「８．４」を算出したとする。
【００９６】
次に、評価値取得部１４は、係数取得部１２が算出した知覚確率曲線の係数ｘ50「０．２９」を取得して、上記と同様に小数視力の値である「０．５１」を算出する。そして、出力部１５は、図６と同様のグラフを表示する。
【００９７】
図８は、出力部１５が出力する小数視力の値と、検査結果情報に適合した知覚確率曲線のグラフと、ｎ値の値とを示す図である。
【００９８】
ここで、図４および図７に示した上記の二人の被検者の検査結果を比較した場合、いずれの被検者も、視標に対する正答率が５０％となる視力の評価値は、小数視力が「０．５」と「０．６」の間に存在することになるため、仮に、従来の視力検査方法を用いた場合、いずれの被検者の小数視力も、「０．５」であると判定されることとなる。しかしながら、本実施の形態によれば、各被検者の視力が、それぞれの被検者の、複数の異なる視力の評価値（ここでは、小数視力「０．４」、「０．５」、「０．６」）にそれぞれ対応する視標を用いて行われた検査における、視力の評価値毎の正答率に応じて正確に評価される。この結果、「被検者ＩＤ」が「０００２１」の被検者の小数視力が「０．５５」と判定され、「被検者ＩＤ」が「０００２２」の被検者の小数視力が「０．５１」と判定され、従来であれば、同じであると評価された二人の被検者の視力が、本実施の形態の視力評価装置１によれば、異なる値にそれぞれ評価されることとなる。
【００９９】
また、ここでは、ｎ値を出力することにより、ユーザはこのｎ値の値を基に、被検者の視機能の診断や判断を行うことが可能となる。例えば、このｎ値の値が、どのような値であるかによって、被検者の視機能が正常であるか否かや、正常でない場合、どのような種類の異常が認められるか等を判断することが可能となる。なお、ｎ値で視機能の診断等を行う場合には、例えば、予め、臨床試験等を行うことで、視機能の異常の有無による、ｎ値の値の変化等のデータを収集して、ｎ値の値で視機能の異常を判断できるような閾値等や、正常値の範囲や異常値の範囲、あるいはこれらの目安となる値等を、予め用意しておくことが好ましい。
【０１００】
ここで、知覚確率曲線の傾きを取得する際において用いられる検査結果情報の数について具体例を挙げて説明する。
【０１０１】
図９は、検査結果情報の一例を示す図である。この検査結果情報は、図４に示したような検査結果情報において、視力の評価値として、小数視力に加えて、さらに小数視力に対応するｌｏｇＭＡＲを有するようにしたものである。
【０１０２】
ここで、この検査結果情報を用いて、上記と同様に、係数取得部１２が式（２）を用いて知覚確率曲線の係数を取得し、この係数を代入した知覚確率曲線のグラフを出力部１５がモニタ１５０に出力したとする。
【０１０３】
図１０は、出力部１５が出力するグラフを示す図である。ただし、ここでは、図９において、正答率が５０％を超えた最初の検査結果情報とその前後２段ずつの合計５つの検査結果情報を用いて得られた知覚確率曲線のグラフと、正答率が５０％を超えた最初の検査結果情報とその前後１段ずつの合計３つの検査結果情報を用いて得られた知覚確率曲線のグラフとを重ねて示している。ただし、図においては、２つのグラフはほぼ重なるものとなっている。図において、上記の５つの検査結果情報が示す座標は黒丸で示し、上記の３つの検査結果情報が示す座標は白色矩形で示している。なお、図９における正答率が５０％を超えた最初の検査結果情報とは、「小数視力」が「１．０」である検査結果情報である。
【０１０４】
図１０から読み取れるように、検査結果情報の数が、３つである場合と５つである場合とでは、これらから得られる知覚確率曲線には、有意差を認めない。このことから、本実施の形態においては、例えば、最低３点の検査結果情報を用いて視覚確率曲線の係数を算出することで、十分な精度を持って視力が評価できることが確認できる。なお、この場合の３点は、正答率が５０％を超えた最初の検査結果情報を中心とした３点であることが好ましく、残りの２点は、視力検査において、正答率が５０％を超えた最初の検査結果情報よりも、視力の評価値が、１段前および１段後の検査結果情報であることが好ましい。
【０１０５】
また、以下に、式（２）のｎの値が知覚確率曲線に与える影響について具体例を挙げて説明する。
【０１０６】
図１１は、視力の評価値を小数視力「０．５５」（ｌｏｇＭＡＲ「０．２６３」）に統一した場合にｎの値が「５」である場合の知覚確率曲線のグラフと、ｎの値が「１０」である場合の知覚確率曲線のグラフとを示す図である。なお、グラフ１１１は、ｎの値が「５」である場合のグラフを示し、グラフ１１２は、ｎの値が「１０」である場合のグラフを示している。
【０１０７】
図１１から読み取れるように、ｎが「５」の場合に比べてｎが「１０」の場合のほうが、傾きが大きく、ｎの値によって傾きの程度が定量的に示されていることが分かる。
【０１０８】
以上、本実施の形態によれば、複数の検査結果情報に適合する知覚確率曲線の係数を取得して、この係数を用いて視力の評価値を取得するようにしたことにより、正確な視力の評価値を容易に取得することができる。
【０１０９】
また、本実施の形態によれば、知覚確率曲線を、生理学分野に利用されるモデル関数を用いて取得することにより、視力に適切な知覚確率曲線を取得することができ、より精度の高い視力の評価を行うことが可能となる。
【０１１０】
また、本実施の形態によれば、特に、式（２）を用いて、ｎ値を出力するようにしたことにより、被検者の視機能の評価を行うことが可能となる。
【０１１１】
また、本実施の形態によれば、特に、式（２）を用いることにより、例えば、上記のような３点の検査結果情報で知覚確率曲線の係数を取得することができるため、少ない視力の検査回数でも正確な視力の評価を行うことが可能となる。
【０１１２】
なお、本実施の形態においては、出力部１５が視力の評価値を出力する場合について説明したが、視力の評価値を出力せずに、ｎ値だけを出力するようにしても良い。この場合、評価値取得部１４は省略可能である。
【０１１３】
また、本実施の形態においては、出力部１５が視力の評価値を出力する場合について説明したが、出力部１５が、複数の検査結果情報に適合する知覚確率曲線のグラフだけを出力するようにしても良い。
【０１１４】
なお、上記各実施の形態において、各処理（各機能）は、単一の装置（システム）によって集中処理されることによって実現されてもよく、あるいは、複数の装置によって分散処理されることによって実現されてもよい。
【０１１５】
また、上記各実施の形態において、一の装置に存在する２以上の通信手段（情報送信部など）は、物理的に一の媒体で実現されても良いことは言うまでもない。
【０１１６】
また、上記実施の形態において、各構成要素が実行する処理に関係する情報、例えば、各構成要素が受け付けたり、取得したり、選択したり、生成したり、送信したり、受信したりする情報や、各構成要素が処理で用いるしきい値や数式、アドレス等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【０１１７】
また、上記各実施の形態では、視力評価装置がスタンドアロンである場合について説明したが、視力評価装置は、スタンドアロンの装置であってもよく、サーバ・クライアントシステムにおけるサーバ装置であってもよい。後者の場合には、出力部や受付部は、通信回線を介して入力を受け付けたり、画面を出力したりすることになる。
【０１１８】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０１１９】
なお、上記各実施の形態における視力評価装置を実現するソフトウェアは、以下のようなプログラムである。つまり、このプログラムは、複数の視力の評価値と対応付けられた複数の視標について行われた被検者の視力の検査結果を示す情報であって、視力の評価値と、視力の評価値と対応付けられた複数の視標に対する正答率とを有する複数の検査結果情報が格納される検査結果情報格納部にアクセス可能なコンピュータを、複数の検査結果情報に含まれる視力の評価値と正答率との関係を示す曲線である知覚確率曲線の係数を取得する係数取得部と、知覚確率曲線の係数を用いて、被検者の視力の評価値を取得する評価値取得部と、評価値取得部が取得した被検者の視力の評価値を出力する出力部として機能させるためのプログラムである。
【０１２０】
また、このプログラムは、複数の視力の評価値と対応付けられた複数の視標について行われた被検者の視力の検査結果を示す情報であって、視力の評価値と、視力の評価値と対応付けられた複数の視標に対する正答率とを有する複数の検査結果情報が格納される検査結果情報格納部にアクセス可能なコンピュータを、
【数５】
0006021404.tif 000006
（ただし、ｙは正答率、ｘは視力の評価値、ｘ50およびｎは係数）
で表される曲線関数を複数の検査結果情報に含まれる視力の評価値と正答率との関係を示す曲線である知覚確率曲線の曲線関数とするため曲線関数の係数ｎの値を取得する係数取得部と、係数ｎの値を出力する出力部として機能させるためのプログラムである。
【０１２１】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０１２２】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０１２３】
また、このプログラムを実行するコンピュータは、単数であってもよく、複数であってもよい。すなわち、集中処理を行ってもよく、あるいは分散処理を行ってもよい。
【０１２４】
図１２は、上記プログラムを実行して、上記実施の形態による視力評価装置を実現するコンピュータの外観の一例を示す模式図である。上記実施の形態は、コンピュータハードウェア及びその上で実行されるコンピュータプログラムによって実現されうる。
【０１２５】
図１２において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【０１２６】
図１３は、コンピュータシステム９００の内部構成を示す図である。図１３において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０１２７】
コンピュータシステム９００に、上記実施の形態による視力評価装置等の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【０１２８】
プログラムは、コンピュータ９０１に、上記実施の形態による視力評価装置の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０１２９】
本発明は、以上の実施の形態に限定されることなく、種々の変更が可能であり、それらも本発明の範囲内に包含されるものであることは言うまでもない。
【産業上の利用可能性】
【０１３０】
以上のように、本発明にかかる視力評価装置等は、視力を評価する装置等として適しており、特に、複数の視力の検査結果を用いて視力を正確に評価する装置等として有用である。
【符号の説明】
【０１３１】
１  視力評価装置
１０  検査結果情報格納部
１１  検査結果取得部
１２  係数取得部
１３  モデル関数格納部
１４  評価値取得部
１５  出力部
【図１】
0006021404.tif 000013
【図２】
0006021404.tif 000014
【図３】
0006021404.tif 000015
【図４】
0006021404.tif 000016
【図５】
0006021404.tif 000017
【図６】
0006021404.tif 000018
【図７】
0006021404.tif 000019
【図８】
0006021404.tif 000020
【図９】
0006021404.tif 000021
【図１０】
0006021404.tif 000022
【図１１】
0006021404.tif 000023
【図１２】
0006021404.tif 000024
【図１３】
0006021404.tif 000025
【図１４】
0006021404.tif 000026